(57)【要約】      （修正有）【課題】花卉搬送用コンテナが積重ねされても通気の為の解放側を作り、空気が流れる用にする。【解決手段】コンテナが花卉貯蔵ユニットを収容するように配置され、コンテナはコンテナ体およびコンテナ底部を有し、コンテナ体は、上部および側部にて花卉の通気のために開いているトップフレームと協働するように配置され、さらにコンテナは、距離保持要素が設けられ、距離保持要素が隣接するコンテナと協働すると、コンテナ内の花卉の通気のためにトップフレームを介して空気が流れることが可能な空隙がコンテナ間に作られる、花卉搬送用コンテナ。【選択図】図４
2011073774.tif 000002
【特許請求の範囲】
【請求項１】
花卉搬送用コンテナであって、該コンテナは花卉貯蔵ユニットを収容するように配置され、コンテナ体およびコンテナ底部を有し、コンテナ体は、上部および側部にて花卉の通気のために開いているトップフレームと協働するように配置され、さらに距離保持要素が設けられ、距離保持要素が隣接するコンテナと協働すると、コンテナ内の花卉の通気のためにトップフレームを介して空気が流れることが可能な空隙がコンテナ間に作られることを特徴とする花卉搬送用コンテナ。
【請求項２】
距離保持要素は、隣接するコンテナの距離保持要素と協働するように配置されることを特徴とする請求項１記載のコンテナ。
【請求項３】
距離保持要素は、コンテナ体を超えて外側に延在することを特徴とする請求項１または２記載のコンテナ。
【請求項４】
距離保持要素は、コンテナ底部の側壁部として設けられることを特徴とする請求項１〜３のいずれか１項に記載のコンテナ。
【請求項５】
コンテナ体は、コンテナ底トレイに配置される上方延在壁部を含むことを特徴とする請求項１〜４のいずれか１項に記載のコンテナ。
【請求項６】
壁部は、折畳むとコンテナ体の壁部が直立するようなブランクとして設けられることを特徴とする請求項５記載のコンテナ。
【請求項７】
ブランクは、線に沿って壁部を折畳むための折畳み線を有することを特徴とする請求項６記載のコンテナ。
【請求項８】
コンテナは積重可能であることを特徴とする請求項１〜７のいずれか１項に記載のコンテナ。
【請求項９】
コンテナは、段ボール紙から提供されることを特徴とする請求項１〜８のいずれか１項に記載のコンテナ。
【請求項１０】
少なくとも２つのコンテナのシステムであって、各コンテナが請求項１〜９のいずれか１項に記載のコンテナであることを特徴とする、システム。
【請求項１１】
あるコンテナが、隣接するコンテナよりも高いことを特徴とする請求項１０記載のシステム。
【請求項１２】
隣接するコンテナ間に空隙が設けられることを特徴とする請求項１０または１１記載のシステム。
【請求項１３】
底トレイ、壁部を有するブランク、ならびに上部および側部にて開いているトップフレームのセット。
【発明の詳細な説明】
【技術分野】
【０００１】
本発明は、花卉搬送用コンテナに関する。
【背景技術】
【０００２】
花卉搬送用コンテナが公知であるが、これらは通常、比較的長い距離または比較的長い期間にわたって花卉を搬送するのに使用されている。搬送中、花卉の鮮度を少なくとも維持するために、花卉は水に浸けられる。さらに、搬送中、花卉の寿命を延ばすために、および／または搬送中に花卉によって生産される熱またはたとえばエチレンといったガスを放出するために、花卉が通気されることが重要であろう。たとえば、国際公開第２００７／０２７０９４号は、コンテナ内の花卉の通気を可能とするトップフレームを有する花卉搬送用コンテナを開示している。トップフレームは上部にて開いているので、空気が流れることができる。トップフレームはまた、側部にて開いているので、コンテナが互いの上部に積重される場合、花卉の通気のために開放側を通って空気が流れることができる。しかし、このシステムの欠点は、コンテナが互いの上部に積重されるだけでなく、隣り同士になる場合、トップフレームの開放側が、特にコンテナが異なる高さであると、隣接するコンテナによって遮蔽されるかもしれないことである。
【発明の概要】
【発明が解決しようとする課題】
【０００３】
本発明の目的は、前述の欠点を取除く花卉搬送用コンテナを提供することである。
【課題を解決するための手段】
【０００４】
そのために、本発明は、次のような花卉搬送用コンテナを提供する。コンテナは花卉貯蔵ユニットを収容するように配置され、コンテナはコンテナ体およびコンテナ底部を有し、コンテナ体は、上部および側部にて花卉の通気のために開いているトップフレームと協働するように配置され、さらにコンテナは、距離保持要素が設けられ、距離保持要素が隣接するコンテナと協働すると、コンテナ内の花卉の通気のためにトップフレームを介して空気が流れることが可能な空隙がコンテナ間に作られる。
【０００５】
隣接するコンテナと協働するとコンテナ間に空隙を提供する距離保持要素を備えることによって、空気は、トップフレームの開放側を通って流れることができ、搬送中に花卉を通気する。
【０００６】
好ましくは、距離保持要素は、隣接するコンテナの距離保持要素と協同するように配置される。距離保持要素は、隣接するコンテナと協働すると空隙を作るように、コンテナ体を超えて外側に延在する。１つのコンテナの距離保持要素が、隣接するコンテナの距離保持要素と協同する場合、距離保持要素はコンテナ体をあまり超えずに延在してもよいので、コンテナの外部寸法は、おおよそ不変のままであることができる。
【０００７】
距離保持要素をコンテナ底部の側壁部として設けることによって、隣接するコンテナとの容易かつ信頼性のある協働をもたらすことができる。特に、積み重なるコンテナの第１列上で、隣接するコンテナ底部が当接するまで、コンテナ底部は隣り同士に置かれる。隣接するコンテナ底部の側壁部の当接によって、他のコンテナによって完全に閉じられているコンテナからも、開いているトップフレームを通って、空気が流れることができるように、隣接するコンテナ間に隙が作られ得る。その後、コンテナの第１列の上部にコンテナを積重するとき、隣接するコンテナ間の距離は、コンテナが類似の外部寸法を有する場合、留められ得る。
【０００８】
コンテナ底トレイに配置される上方延在壁部としてコンテナ体を設けることによって、コンテナの組立ては比較的容易である。コンテナ底部およびコンテナ体は、たとえば段ボール紙から製造される、別個の部品であってもよい。壁部を底トレイ内に配置することによってコンテナを組立てる場合、容易な組立ておよび分解が可能である。花卉を有する花卉貯蔵ユニットをコンテナ内に置くのが容易となるのがよい。たとえば、初めに底トレイが設けられてもよく、それから花卉を有する花卉貯蔵ユニットが底トレイに載置されてもよく、その後、コンテナ体の壁部が底トレイの花卉貯蔵ユニットを覆ってもよい。最後に、トップフレームが壁部の上部に載置される。ゆえに分解は、コンテナ体の壁部を除去することによって、容易となる。花卉貯蔵ユニットは、底トレイに自由に到達できる。
【０００９】
有利な実施形態において、コンテナ体は、ブランクを開くと壁部が直立するようなブランクとして設けられる。好ましくは、ブランクは、折畳み線に沿って壁部を折畳むための折畳み線を有する。ゆえに、コンテナは、単に壁部を折り畳み、折り畳まれた壁部を底トレイに置くことによって、組立てることができる。底トレイは通常、上方延在壁部が設けられるので、コンテナ体の壁部は底トレイにおいて容易に上方に直立したままであることができる。
【００１０】
本発明はまた、少なくとも２つの花卉搬送用コンテナのセットに関する。
本発明はさらに、底トレイ、壁部を有するブランク、ならびに上部および側部にて開いているトップフレームのセットに関する。
【００１１】
さらに有利な実施形態が、下位請求項に示されている。
本発明は、図面において示されている、例となる実施形態に基づいて、さらに説明される。例となる実施形態は、本発明の非限定の説明のために与えられている。
【図面の簡単な説明】
【００１２】
【図１】本発明に従うコンテナの第１の実施形態の略正面図である。
【図２】トップフレームの実施形態の略正面図である。
【図３】本発明に従うコンテナの第２の実施形態の略正面図である。
【図４】本発明に従うコンテナの第３の実施形態の分解斜視図である。
【図５】本発明に従うコンテナの第４の実施形態の略正面図である。
【図６】本発明に従うコンテナのセットの正面斜視図である。
【図７】本発明に従うコンテナが積重された、コンテナのセットの正面斜視図である。
【発明を実施するための形態】
【００１３】
図は、非限定の例として与えられる本発明の実施形態の略図であるにすぎないことに留意されたい。図において、同じ部位すなわち対応する部位が同じ参照符号で指定されている。
【００１４】
図１は花卉搬送用コンテナ１を示す。コンテナ１において、花卉貯蔵ユニット２が収容され得る。花卉貯蔵ユニット２はコンテナ１内に配置されるので、破線で示されている。花卉貯蔵ユニット２は概して、搬送中水４で部分的に満たされる花卉バケツ３を含む。花卉５の最下部を水４に浸けて花卉５が置かれるので、搬送中の花卉５の乾燥が避けられ得る。
【００１５】
コンテナ１は、コンテナ体６およびコンテナ底部７を含む。花卉貯蔵ユニット２は、コンテナ体６内でコンテナ底部７に載置される。コンテナ体６およびコンテナ底部７は、一体構造のコンテナ１を形成してもよい。たとえば、コンテナ１は、段ボール紙から製造することができ、段ボール紙のブランクシートから折畳まれてもよい。段ボール紙は比較的コスト効率がよく、軽く、強く、扱い易いが、たとえば多重木材（multiplex wood）または押出プラスチックといった他の材料が提供されてもよい。
【００１６】
コンテナ体６は、トップフレーム８と協働するように構成される。トップフレーム８は、図３において見ることができるように、上部および側部で開いている。上部および側部で開いているトップフレーム８を設けることによって、搬送中に花卉によって生産される熱またはガスを放出することができ、花卉は通気され得る。このことは、搬送中および搬送後の花卉の寿命を延ばすことになるだろう。トップフレーム８は、下側に溝１７が設けられてもよく、コンテナ体６は、図２において見ることができるように、溝１７に嵌合し得る。示される実施形態において、トップフレーム８は、コンテナ体６の対応する凹部１０と協働する側方開口部９が設けられる。異なる実施形態において、図５に示されるように、トップフレーム８は、開口部９を有する側壁部１８が設けられてもよい。トップフレーム８の側壁部１８は、コンテナ体６の側壁部１４と協働するのがよく、たとえば、トップフレーム８の側壁部１８は、溝１７が設けられるのがよく、溝１７にコンテナ体６の側壁部１４が嵌合してもよい。または、トップフレーム８は、コンテナ体６の側壁部１４上にカチッと嵌められる、すなわちスナップ式に嵌合されてもよい。代わりに、トップフレーム８は、コンテナ体６の側壁１４の上側と協働するように湾曲されてもよい蓋体が設けられてもよい。
【００１７】
異なるコンテナ１が搬送のために積重される場合、トップフレーム８の上方開口部は、上部コンテナ１の底部７によって遮蔽され得る。トップフレーム８の側方開口部９は、特に異なる高さのコンテナが積重される場合、隣接するコンテナ１によって遮蔽され得る。それに関連して、コンテナ１は距離保持要素１１が設けられる。隣接するコンテナ１との距離保持要素１１の協働によって、コンテナ１間に空隙が作られて、コンテナ１内の花卉の通気のためにトップフレーム８を介して空気が流れることができる。特に、トップフレーム８の側方開口部９は、通気のために開いたままである。
【００１８】
距離保持要素１１は、ここではマッシュルーム形要素として設けられているが、好ましくは隣接するコンテナを貫通しないような鈍い、半球形要素もしくはピンまたは他のあらゆる要素として、設けることもできる。距離保持要素１１は、ここではコンテナ体６上に、たとえば接着、付着、ねじまたはボルト−ナット接続によって、直接的に設けられている。たとえば、コンテナ体に穴が設けられてもよく、穴を距離保持要素１１の端部が貫通することができる。コンテナ体６の内部にて、距離保持要素１１の端部は、たとえばねじ山を端部に設けて端部をナットで締結することによって、係止すなわち停止を与えるように端部を屈曲させることによって、または断端が距離保持要素の弛緩を防止するまで端部を変形することによって、コンテナ体に固定されてもよい。
【００１９】
代わりに、図３に示されるように、コンテナ体６上に距離保持要素１１としてカラー１２が設けられてもよい。カラー１２は、ピン、鈍的要素またはマッシュルーム様要素などの、図１に示されるような付加的な距離保持要素１１が設けられてもよく、または設けられなくてもよい。カラー１２は、たとえば接着、クランプ、貫通などによって、コンテナ体６に固定されてもよい。多くの接続が可能である。カラー１２の、隣接するコンテナ１との、または隣接するコンテナ１のカラー１２との協働によって、花卉の通気のためにトップフレーム８の側壁部９を空気が流れることができるように、コンテナ間に空隙が作られ得る。
【００２０】
距離保持要素１１は、コンテナ体６を超えて外側に延在する。距離保持要素１１は、トップフレーム８を超えて延在してもよく、またはトップフレーム８と少なくとも同じ大きさであってもよい。距離保持要素１１を有するコンテナ１の外部寸法は、コンテナ１の底部７と平行な面において測定した場合、トップフレーム８の外部寸法と少なくとも同じであるのがよい。距離保持要素１１がトップフレーム８を超えて延在する場合、距離保持要素が隣接するコンテナと、および／または隣接するコンテナ上の距離保持要素と協働すると、２つの隣接するコンテナ間に空隙が作られ得る。
【００２１】
トップフレーム８は、トップフレーム８上に、上部コンテナを固定し、トップフレーム８に対する上部コンテナの移動を防止するための固定手段１６が設けられる。上部コンテナ１の底部７は、固定手段１６に貫通されてもよく、固定手段１６は、ここではリング様拡張部として設けられている。固定手段１６はまた、コンテナの底部に貫通するためのピンもしくは他のあらゆる貫通手段として設けられてもよく、または上部コンテナの底部７が間に配置されてもよい、コーナ要素として設けられてもよい。
【００２２】
図４は、本発明に従うコンテナ１の第３の実施形態を示す。図４のコンテナ１において、コンテナ体６およびコンテナ底部７は２つの別個の部品である。コンテナ底部７は、ここでは底トレイ７として設けられており、コンテナ体６の壁部１４は底トレイ７に配置することができる。底トレイ７は、直立壁部１３を有する。
【００２３】
コンテナ体６の壁部１４は、段ボール紙から製造することができ、たとえば単一のブランクから折畳まれてもよい。ブランクは、線に沿って壁部を折畳むための折畳み線が設けられてもよい。折畳み壁部１４は、底トレイ７の直立壁部１３のおかげで、底トレイ７に配置することができ、コンテナ体６の壁部１４は、底トレイ７のその位置に留まる。この実施形態において、底トレイ７の側壁部１３は、距離保持要素１１として設けられる。
【００２４】
隣接するコンテナ１の底トレイ７は、図６および図７において見ることができるように、底トレイ７の側壁部１３が互いに当接するまで、隣り同士に配置することができる。底トレイ７の側壁部１３の協働によって、トップフレーム８の側方開口部９を通って空気が流れることができるように、隣接するコンテナ１間に空隙１５が作られ得る。ゆえに、花卉の通気は、搬送中の積重されたすべてのコンテナ１について、また、隣接するコンテナ１によって全体的に囲まれているコンテナ１について、可能である。特に、異なる高さのコンテナ１間で、トップフレーム８の側方開口部９を通して空気を流すことができる空隙１５が設けられてもよい。
【００２５】
第１列のコンテナ１の底トレイ７同士を当接させることによって、トップフレーム８の側方開口部９を通して空気を流すことができる空隙１５がコンテナ間に作られ得る。次の列のコンテナ１を第１列のトップフレーム８上に配置して、固定手段１６によって下部コンテナに対してコンテナ１を固定する場合、隣接する上部コンテナ１間においても同様に空隙が維持される。
【００２６】
多くの変形が当業者に明らかであろう。すべての変形は、添付の特許請求の範囲に規定されるような発明の範囲内に含まれると理解される。
【図１】
2011073774.tif 000003
【図２】
2011073774.tif 000004
【図３】
2011073774.tif 000005
【図４】
2011073774.tif 000006
【図５】
2011073774.tif 000007
【図６】
2011073774.tif 000008
【図７】
2011073774.tif 000009
【外国語明細書】
2011073774000001.pdf